(57)【要約】【課題】いずれも回転操作されることで脱着される構造を有して、同方向の回転操作で脱着できるようにしながら、共回りを確実に阻止することが可能な液状物収納容器を提供する。【解決手段】液状物を抽出可能に収納する容器本体１と、抽出口２を有して、容器本体に第１ネジ部３を介して締め緩め自在に螺合される抽出筒４と、抽出筒にその抽出口を封鎖すべく、第２ネジ部５を介して締め緩め自在に螺合されるキャップ６と、容器本体に設けられたロック用溝７と、抽出筒に設けられ、第１ネジ部による抽出筒と容器本体との相対回転を阻止するために、ロック用溝に係脱可能に係合されるロック用レバー８と、抽出筒と容器本体との間に設けられ、ロック用溝に対してロック用レバーを位置決めする位置決め機構９とを備えた。【選択図】図３
2005206186.tif 000002
【特許請求の範囲】
【請求項１】
液状物を抽出可能に収納する容器本体と、抽出口を有して、上記容器本体に第１ネジ部を介して締め緩め自在に螺合される抽出筒と、該抽出筒にその抽出口を封鎖すべく、第２ネジ部を介して締め緩め自在に螺合されるキャップと、上記容器本体に設けられたロック用溝と、上記抽出筒に設けられ、上記第１ネジ部による該抽出筒と上記容器本体との相対回転を阻止するために、上記ロック用溝に係脱可能に係合されるロック用レバーと、上記抽出筒と上記容器本体との間に設けられ、上記ロック用溝に対して上記ロック用レバーを位置決めする位置決め機構とを備えたことを特徴とする液状物収納容器。
【発明の詳細な説明】
【技術分野】
【０００１】
本発明は、いずれも回転操作されることで脱着される構造を有して、同方向の回転操作で脱着できるようにしながら、共回りを確実に阻止することが可能な液状物収納容器に関する。
【背景技術】
【０００２】
従来、蓋がされて封止される容器本体から液体を抽出する部分に、中栓などのパーツを付加し、これらを互いに回転操作することで脱着できるようにした液状物の収納容器が知られている（特許文献１〜３参照）。
【０００３】
特許文献１では、容器の口頸部に装着される中栓と、この中栓に装着される外蓋とを備え、中栓の内周面に雌螺条が、外周面に雄螺条が形成されるとともに、外蓋の内周面に雌螺条が、また容器の外周面に雄螺条が形成されていて、これら螺条を締め込んだり、緩めたりすることで、容器に対して中栓が、また中栓に対して外蓋が脱着されるようになっている。
【０００４】
特許文献２では、コップと中栓とがねじ嵌合され、中栓と容器の肩体とがねじ嵌合されるもので、特に共回りを防ぐために、容器に対する中栓のねじ嵌合よりも、中栓に対するコップのねじ嵌合を弱くできるように、コップと中栓のねじ嵌合の完了を凹突嵌合で分かるようにしたり、あるいはこれら２つのねじ嵌合を逆ねじとするようにしている。
【０００５】
特許文献３では、内側ねじ部を有する容器本体と、外側ねじ部およびこれとは逆ねじとなる内側ねじ部を有する本キャップと、外側ねじ部を有する栓体とを備え、共回りを防ぎながら、これらねじ部を螺合させることができるようにしている。
【特許文献１】実開平５−４０１６７号公報
【特許文献２】実開平５−１８４３８号公報
【特許文献３】実開平６−３８８１０号公報
【発明の開示】
【発明が解決しようとする課題】
【０００６】
ところで従来にあっては、互いに回転操作される蓋や容器本体、付加したパーツなどの脱着構造に関して、逆ねじを採用したり、凹突嵌合で一方のねじ嵌合に対し他方のねじ嵌合が緩くなされるようにするなどして、共回りを防止できるようにしていたが、逆ねじは一般的な右ねじ操作に対し、逆向きの操作が要求されるため、使用する際の締め込み操作が分かりづらいなど、不便さがあった。また、凹突嵌合で２つのねじ嵌合の締め込み強さを変えるようにしても、締め込みを強くすべきねじ嵌合がしっかりと締め込まれるとは限らず、締め込みが緩めであると共回りを避けることはできないという、不都合があった。
【０００７】
本発明は上記従来の課題に鑑みて創案されたものであって、いずれも回転操作されることで脱着される構造を有して、同方向の回転操作で脱着できるようにしながら、共回りを確実に阻止することが可能な液状物収納容器を提供することを目的とする。
【課題を解決するための手段】
【０００８】
本発明にかかる液状物収納容器は、液状物を抽出可能に収納する容器本体と、抽出口を有して、上記容器本体に第１ネジ部を介して締め緩め自在に螺合される抽出筒と、該抽出筒にその抽出口を封鎖すべく、第２ネジ部を介して締め緩め自在に螺合されるキャップと、上記容器本体に設けられたロック用溝と、上記抽出筒に設けられ、上記第１ネジ部による該抽出筒と上記容器本体との相対回転を阻止するために、上記ロック用溝に係脱可能に係合されるロック用レバーと、上記抽出筒と上記容器本体との間に設けられ、上記ロック用溝に対して上記ロック用レバーを位置決めする位置決め機構とを備えたことを特徴とする。
【発明の効果】
【０００９】
本発明にかかる液状物収納容器にあっては、いずれも回転操作されることで脱着される構造を有して、同方向の回転操作で脱着できるようにしながら、共回りを確実に阻止することができる。
【発明を実施するための最良の形態】
【００１０】
以下に、本発明にかかる液状物収納容器の好適な一実施形態を、添付図面を参照して詳細に説明する。本実施形態にかかる液状物収納容器は基本的には、図１〜図４に示すように、液状物を抽出可能に収納する容器本体１と、抽出口２を有して、容器本体１に第１ネジ部３を介して締め緩め自在に螺合される抽出筒４と、抽出筒４にその抽出口２を封鎖すべく、第２ネジ部５を介して締め緩め自在に螺合されるキャップ６と、容器本体１に設けられたロック用溝７と、抽出筒４に設けられ、第１ネジ部３による抽出筒４と容器本体１との相対回転を阻止するために、ロック用溝７に係脱可能に係合されるロック用レバー８と、抽出筒４と容器本体１との間に設けられ、ロック用溝７に対してロック用レバー８を位置決めする位置決め機構９とを備えて構成される。
【００１１】
容器本体１は底部が封鎖された中空筒体状に形成され、その内部に、例えばローションやミルクなどの液状化粧料などの液状物が収納される。容器本体１には、その上端部に上下２つの第１段差部１０と第２段差部１１を介して、最上部に抽出首部１２が、そしてまたその下方に縮径部１３が形成され、抽出首部１２には液状物を抽出可能とする開口１４が形成される。他方、抽出筒４は、上端が天面部１５で封鎖された中空筒体状に形成されるとともに、一つの段差部１６を介して、下方に環状スカート部１７が、上方に筒部１８が形成される。天面部１５には、その中央に抽出口２が、抽出口２周囲に上方へ突出させて環状の注ぎ口部１９が、また下方へ垂下させて容器本体１の開口１４に嵌脱自在に嵌め込まれる環状嵌合部２０が形成される。この抽出筒４は、その段差部１６が容器本体１の第１段差部１０に重ね合わされて、筒部１８が抽出首部１２に、また環状スカート部１７が縮径部１３に被さるようにして、容器本体１に装着される。
【００１２】
容器本体１と抽出筒４との間には右ネジの第１ネジ部３が形成される。具体的には、容器本体１の抽出首部１２の外周面には第１雄ネジ３ａが形成されるとともに、抽出筒４の筒部１８の内周面には、第１雄ネジ３ａに締め緩め自在に螺合される第１雌ネジ３ｂが形成され、これにより抽出筒４が容器本体１に着脱自在に装着される。
【００１３】
キャップ６は、周側壁部２１と天板部２２とから上端が封鎖された中空筒体状に形成される。このキャップ６にはその天板部２２から垂下させて、内側に抽出口２を封鎖すべく注ぎ口部１９内方に挿抜自在に挿入される栓部２３が、外側に抽出筒４の天面部１５に当接される環状シール２４が形成される。キャップ６と抽出筒４との間には、第１ネジ部３と同じ右ネジとされた第２ネジ部５が形成される。具体的には、キャップ６の周側壁部２１の内周面には第２雌ネジ５ａが形成されるとともに、抽出筒４の筒部１８の外周面には、第２雌ネジ５ａに締め緩め自在に螺合される第２雄ネジ５ｂが形成され、これによりキャップ６が抽出筒４に着脱自在に装着される。
【００１４】
ロック用溝７は容器本体１の縮径部１３にこれを窪ませて形成される。詳細にはこのロック用溝７は、Ｖ字形状の切り込みが縮径部１３の表面からその径方向に対し左方向から右方向へ向かって斜めに形成され、これにより、縮径部１３の周方向に沿ってロック用溝７の右側に、鍔状の係止部２５が形成されるようになっている。また縮径部１３には、係止部２５に隣接させて、ロック用レバー８に手指を掛けるための凹部２６が形成される。
【００１５】
他方、ロック用レバー８は、抽出筒４の環状スカート部１７にその下端から立ち上がるＬ字状のスリット２７を介して、横向きの帯状形態で形成されたレバー部２８と、このレバー部２８から環状スカート部１７の内方に右方向へ向けて突出され、縮径部１３の係止部２５にその左側から係脱自在に係止される係止片２９とから構成される。レバー部２８は、環状スカート部１７と連結される一端がヒンジ３０を介して折り曲げ可能とされるとともに、他端はスリット２７により環状スカート部１７との間に広い隙間が形成される。またこのレバー部２８にはその上端に、これを環状スカート部１７の内周面側に係止して、ヒンジ３０による振れ動きを止める突起３１が形成される。
【００１６】
そしてこのロック用レバー８は、ヒンジ３０を介してレバー部２８が環状スカート部１７の外周面に沿うように位置されることで、その係止片２９が係止部２５と抽出筒４の左回転方向に深く係止され、右ネジの第１ネジ部３による抽出筒４と容器本体１との相対回転、特に緩み方向の相対回転を阻止するようになっている。
【００１７】
位置決め機構９は、抽出筒４の筒部１８と容器本体１の抽出首部１２との間に設けられる。詳細には、位置決め機構９は、抽出首部１２の外周面に径方向外方へ向かって突出させて形成された凸部３２と、筒部１８の内周面に、その径方向内方へ向かって突出させて形成され、第１ネジ部３が締め込まれることで凸部３２に当接される制止突起３３とから構成される。凸部３２は、容器本体１の第１段差部１０直上であって、第１雄ネジ３ａの下方となる抽出首部１２の下端に形成された環状段部３４に設けられる。また制止突起３３は、抽出筒４の段差部１６直上であって環状段部３４と向かい合う筒部１８の下端に形成される。そしてこの位置決め機構９の凸部３２および制止突起３４は、ロック用溝７にロック用レバー８を係脱操作可能とするために、第１ネジ部３を介して筒部１８を抽出首部１２に締め込んでいく際に、ロック用溝７にロック用レバー８が向かい合う位置で互いに当接されて、第１ネジ部３によるそれ以上の締め込み操作を阻止するようになっている。
【００１８】
本実施形態に係る液状物収納容器の作用について説明すると、容器本体１に抽出筒４が螺合され、さらに抽出筒４にキャップ６が螺合された状態の液状物収納容器から液状物を抽出する際には、第２ネジ部５を介してキャップ６を取り外す。このときには、抽出筒４のロック用レバー８が容器本体１のロック用溝７に係合していて、第２ネジ部５と同じ向きのネジである第１ネジ部３における抽出筒４と容器本体１との相対回転を阻止でき、すなわち第１ネジ部３が緩むのを防止でき、第２ネジ部５のみの螺合解除によりキャップ６だけを抽出筒４、ひいては容器本体１からスムーズに取り外すことができる。そしてキャップ６を取り外すことにより、容器本体１に対して装着状態にある抽出筒４の抽出口２から液状物を抽出することができる。抽出後は、キャップ６を第２ネジ部５を介して抽出筒４に螺合していけば、このときもロック用溝７とロック用レバー８の係合で容器本体１と抽出筒４との相対回転を阻止することができて、適切に抽出口２を封鎖することができる。
【００１９】
他方、容器本体１内に液状物を収納したり、補充する際には、キャップ６をしたままでも、また外した状態のいずれでもよいが、容器本体１の凹部２６に手指をかけて、抽出筒４のロック用レバー８をヒンジ３０を介して手前に折り曲げると、係合していたロック用溝７の係止部２５から当該ロック用レバー８の係止片２９が離脱されるとともに、突起３１も環状スカート部１７から外れ、これにより抽出筒４と容器本体１とを相対回転させることができるようになり、第１ネジ部３を介して抽出筒４を容器本体１から取り外すことができて、抽出首部１２の開口１４から液状物を補充など、することができる。
【００２０】
液状物を補充などした後は、第１ネジ部３により抽出筒４を容器本体１に螺合していく。この螺合操作の際、ロック用レバー８がロック用溝７位置に達すると、位置決め機構９の制止突起３３が凸部３２と当接するので、これによりロック用レバー８の係止片２９とロック用溝７の係止部２５との位置合わせを行うことができ、その後ロック用レバー８を縮径部１３に向かって押し込むことでロック用溝７に係合させることができて、容器本体１と抽出筒４の相対回転を阻止することができ、その後の円滑なキャップ６操作を保証することができる。
【００２１】
以上説明したように本実施形態に係る液状物収納容器にあっては、液状物を抽出可能に収納する容器本体１と、抽出口２を有して、容器本体１に第１ネジ部３を介して締め緩め自在に螺合される抽出筒４と、抽出筒４にその抽出口２を封鎖すべく、第２ネジ部５を介して締め緩め自在に螺合されるキャップ６と、容器本体１に設けられたロック用溝７と、抽出筒４に設けられ、第１ネジ部３による抽出筒４と容器本体１との相対回転を阻止するために、ロック用溝７に係脱可能に係合されるロック用レバー８と、抽出筒４と容器本体１との間に設けられ、ロック用溝７に対してロック用レバー８を位置決めする位置決め機構９とを備えたので、容器本体１のロック用溝７と抽出筒４のロック用レバー８との係脱によって、第２ネジ部５の締め緩め操作に伴う第１ネジ部３の緩みを防止したり、また第１ネジ部３の締め緩め操作を確保できて、これにより２つのネジ部３，５の共回りを確実に阻止しつつ容器本体１への抽出筒４の脱着も、抽出筒４へのキャップ６の脱着も、ともに同方向の回転操作で行うことができ、便利で良好な操作性を確保することができる。
【００２２】
このような構成を備えた液状物収納容器は、液状物を直接入れ替える入れ替え式であるので、交換用のレフィルなどの別容器を容器本体１に脱着する形態のものに比べて、省資源化に適している。また、容器本体１をガラス製とし、抽出筒４を合成樹脂製とした場合など、異種材料で構成した場合に、抽出筒４を容器本体１から容易に取り外すことができて、分別収集に対し高い適応性を発揮することができる。
【図面の簡単な説明】
【００２３】
【図１】本発明にかかる液状物収納容器の好適な一実施形態を示す分解斜視図である。
【図２】図１に示した液状物収納容器の側面図である。
【図３】図１に示した液状物収納容器の側断面図である。
【図４】図３中Ａ−Ａ線矢視断面図である。
【符号の説明】
【００２４】
１  容器本体
２  抽出口
３  第１ネジ部
４  抽出筒
５  第２ネジ部
６  キャップ
７  ロック用溝
８  ロック用レバー
９  位置決め機構
【図１】
2005206186.tif 000003
【図２】
2005206186.tif 000004
【図３】
2005206186.tif 000005
【図４】
2005206186.tif 000006